(57)【要約】【課題】携帯電話機に環境データを測定（検出）できる環境センサを備え、必要な場所で環境データを検出し、このデータを解析し、編集し、蓄積し、表示し、送信する機能を有する環境センサ付き携帯電話機を提供すること。【解決手段】全体制御部１１、入力部１２、各設定部１２１〜１２４、出力部１３、表示部１３１、記憶部１４、通信制御部１５、電源供給部１６、並びに環境データ検出部１７、環境データ蓄積部１８、環境データ解析部１９、環境データ異常部値検知部２０、環境データ編集／出力部２１、環境データ異常警報部２２、現在位置取得部２３、地図情報取得部２４、環境データ地図プロット部２５、環境データ送信制御部２６、現在時刻取得部２７を備えた。【選択図】　　　　図１
2004040281.tif 000002
【特許請求の範囲】
【請求項１】
環境センサ付き携帯電話機であって、全体制御部、入力部、表示部を備えた出力部、記憶部、通信制御部、電源供給部、並びに環境データ検出部、環境データ蓄積部、環境データ解析部、環境データ編集／出力部を備え、環境データを検出し、蓄積し、解析し、並びに編集及び／又は出力する機能を有することを特徴とする環境センサ付き携帯電話機。
【請求項２】
請求項１記載の環境センサ付き携帯電話機であって、入力部が検出時期設定部、又は検出時期設定部及び異常値設定部、又は検出時期設定部及び送信時期設定部及び送信先設定部及び異常値設定部を有することを特徴とする環境センサ付き携帯電話機。
【請求項３】
請求項２記載の環境センサ付き携帯電話機であって、さらに環境データ異常値検出部、環境データ異常警報部を備え、検出した環境データ及び／又は検出した環境データを解析したデータ（解析データ）が設定した異常値以上の場合に警報・警告及び／又は表示する機能を有することを特徴とする環境センサ付き携帯電話機。
【請求項４】
請求項２記載の環境センサ付き携帯電話機であって、環境データの検出契機（時期）及び／又は送信先へ情報を送信する契機（時期）を、携帯電話機の使用中又は所定時刻又は所定時間間隔に設定する機能を有することを特徴とする環境センサ付き携帯電話機。
【請求項５】
請求項２記載の環境センサ付き携帯電話機であって、さらに現在位置情報取得部、又は現在位置情報取得部及び現在時刻取得部、又は現在位置情報取得部及び現在位置の地図情報取得部、又は現在位置情報取得部及び現在位置の地図情報取得部及び現在時刻取得部を備え、環境データの検出時に、現在位置情報、又は現在位置情報及び現在時刻、又は現在位置情報及び現在位置の地図情報、又は現在位置情報及び現在位置の地図情報及び現在時刻を取得する機能を有することを特徴とする環境センサ付き携帯電話機。
【請求項６】
請求項５記載の環境センサ付き携帯電話機であって、検出した環境データ及び／又は検出した環境データを解析したデータ（解析データ）及び／又は前記解析データを編集したものに、取得した現在位置情報、又は現在位置情報及び現在時刻、又は現在位置情報及び現在位置の地図情報、又は現在位置情報及び現在位置の地図情報及び現在時刻を付加して記憶・蓄積する機能を有することを特徴とする環境センサ付き携帯電話機。
【請求項７】
請求項５記載の環境センサ付き携帯電話機であって、現在位置情報取得部が基地局位置情報取得部及びＧＰＳ情報取得部とを備え、現在位置情報の取得時に、ＧＰＳを内蔵しているか否かを判断して、内蔵している場合にはＧＰＳから現在位置情報を取得し、内蔵していない場合には自動的に当該携帯電話機が接続されている基地局の位置情報を取得する機能を有することを特徴とする環境センサ付き携帯電話機。
【請求項８】
請求項５記載の環境センサ付き携帯電話機であって、現在時刻取得部が内蔵タイマー及び外部タイマー取得部とを備え、現在時刻の取得時に、外部から標準時刻を受信して取得する機能を有することを特徴とする環境センサ付き携帯電話機。
【請求項９】
請求項５記載の環境センサ付き携帯電話機であって、現在位置の地図情報の取得時に、地図情報を内蔵しているか否かを判断して、内蔵している場合には現在位置の地図情報を読み出し、内蔵していない場合には、地図管理センタから自動的に現在位置の地図情報を受信して取得する機能を有することを特徴とする環境センサ付き携帯電話機。
【請求項１０】
請求項２記載の環境センサ付き携帯電話機であって、検出した環境データ及び／又は検出した環境データを解析したデータ（解析データ）及び／又は前記解析データを編集したものを、表示部に表示する機能を有することを特徴とする環境センサ付き携帯電話機。
【請求項１１】
請求項５記載の環境センサ付き携帯電話機であって、さらに環境データ地図プロット部を備えることを特徴とする環境センサ付き携帯電話機。
【請求項１２】
請求項１１記載の環境センサ付き携帯電話機であって、取得した現在位置の地図情報に、検出した環境データ及び／又は検出した環境データを解析したデータ（解析データ）を、取得した現在時刻と共に表示する機能を有することを特徴とする環境センサ付き携帯電話機。
【請求項１３】
請求項１１記載の環境センサ付き携帯電話機であって、取得した現在位置の地図情報を、検出した環境データ及び／又は検出した環境データを解析したデータ（解析データ）に、取得した現在位置情報、又は現在位置情報及び現在時刻、又は現在位置情報及び現在位置の地図情報、又は現在位置情報及び現在位置の地図情報及び現在時刻を付加して記憶・蓄積する機能を有することを特徴とする環境センサ付き携帯電話機。
【請求項１４】
請求項２記載の環境センサ付き携帯電話機であって、さらに環境データ送信制御部を備え、検出した環境データ及び／又は検出した環境データを解析したデータ（解析データ）及び／又は前記解析データを編集したものを、設定した送信先へ、任意又は設定した時期に、送信する機能を有することを特徴とする環境センサ付き携帯電話機。
【請求項１５】
請求項１４記載の環境センサ付き携帯電話機であって、検出した環境データ及び／又は検出した環境データを解析したデータ（解析データ）及び／又は前記解析データを編集したものに、取得した現在位置情報、又は現在位置情報及び現在時刻、又は現在位置情報及び現在位置の地図情報、又は現在位置情報及び現在位置の地図情報及び現在時刻を付加して、設定した送信先へ、任意又は設定した時期に、送信する機能を有することを特徴とする環境センサ付き携帯電話機。
【発明の詳細な説明】
【０００１】
【発明の属する技術分野】
本発明は、環境センサ付き携帯電話機に関する。
【０００２】
【従来の技術】
最近の携帯電話機には、本来の通話機能の他に各種の機能を有するものが提供されている。また最近は各種の環境問題が発生して、その対策が望まれており、そのために各種の環境データを測定する必要性が生じている。
【０００３】
【発明が解決しようとする課題】
本発明は、上記携帯電話機にさらに環境データを測定（検出）できる環境センサを備え、必要な場所で環境データを検出し、このデータを解析し、編集する機能を有する環境センサ付き携帯電話機を提供することを目的とする。
【０００４】
【課題を解決するための手段】
上記目的を達成するために、本発明の環境センサ付き携帯電話機は、全体制御部、入力部、表示部を備えた出力部、記憶部、通信制御部、電源供給部、並びに環境データ検出部、環境データ蓄積部、環境データ解析部、環境データ編集／出力部を備え、環境データを検出し、蓄積し、解析し、並びに編集及び／又は出力する機能を有する。
また、入力部が検出時期設定部、又は検出時期設定部及び異常値設定部、又は検出時期設定部及び送信時期設定部及び送信先設定部及び異常値設定部を有する。
また、さらに環境データ異常値検出部、環境データ異常警報部を備え、検出した環境データ及び／又は検出した環境データを解析したデータ（解析データ）が設定した異常値以上の場合に警報・警告及び／又は表示する機能を有する。
【０００５】
また、環境データの検出契機（時期）及び／又は送信先へ情報を送信する契機（時期）を、携帯電話機の使用中又は所定時刻又は所定時間間隔に設定する機能を有する。
また、さらに現在位置情報取得部、又は現在位置情報取得部及び現在時刻取得部、又は現在位置情報取得部及び現在位置の地図情報取得部、又は現在位置情報取得部及び現在位置の地図情報取得部及び現在時刻取得部を備え、環境データの検出時に、現在位置情報、又は現在位置情報及び現在時刻、又は現在位置情報及び現在位置の地図情報、又は現在位置情報及び現在位置の地図情報及び現在時刻を取得する機能を有する。
また、検出した環境データ及び／又は検出した環境データを解析したデータ（解析データ）及び／又は前記解析データを編集したものに、取得した現在位置情報、又は現在位置情報及び現在時刻、又は現在位置情報及び現在位置の地図情報、又は現在位置情報及び現在位置の地図情報及び現在時刻を付加して記憶・蓄積する機能を有する。
【０００６】
さらに、現在位置情報取得部が基地局位置情報取得部及びＧＰＳ情報取得部とを備え、現在位置情報の取得時に、ＧＰＳを内蔵しているか否かを判断して、内蔵している場合にはＧＰＳから現在位置情報を取得し、内蔵していない場合には自動的に当該携帯電話機が接続されている基地局の位置情報を取得する機能を有する。
さらに、現在時刻取得部が内蔵タイマー及び外部タイマー取得部とを備え、現在時刻の取得時に、外部から標準時刻を受信して取得する機能を有する。
さらに、現在位置の地図情報の取得時に、地図情報を内蔵しているか否かを判断して、内蔵している場合には現在位置の地図情報を読み出し、内蔵していない場合には、地図管理センタから自動的に現在位置の地図情報を受信して取得する機能を有する。
【０００７】
さらに、検出した環境データ及び／又は検出した環境データを解析したデータ（解析データ）及び／又は前記解析データを編集したものを、表示部に表示する機能を有する。
さらにまた、さらに環境データ地図プロット部を備える。
さらにまた、取得した現在位置の地図情報に、検出した環境データ及び／又は検出した環境データを解析したデータ（解析データ）を、取得した現在時刻と共に表示する機能を有する。
【０００８】
さらにまた、取得した現在位置の地図情報を、検出した環境データ及び／又は検出した環境データを解析したデータ（解析データ）に、取得した現在位置情報、又は現在位置情報及び現在時刻、又は現在位置情報及び現在位置の地図情報、又は現在位置情報及び現在位置の地図情報及び現在時刻を付加して記憶・蓄積する機能を有する。
また、さらに環境データ送信制御部を備え、検出した環境データ及び／又は検出した環境データを解析したデータ（解析データ）及び／又は前記解析データを編集したものを、設定した送信先へ、任意又は設定した時期に、送信する機能を有する。
また、検出した環境データ及び／又は検出した環境データを解析したデータ（解析データ）及び／又は前記解析データを編集したものに、取得した現在位置情報、又は現在位置情報及び現在時刻、又は現在位置情報及び現在位置の地図情報、又は現在位置情報及び現在位置の地図情報及び現在時刻を付加して、設定した送信先へ、任意又は設定した時期に、送信する機能を有する。
【０００９】
【発明の実施の形態】
発明の実施の形態を実施例にもとづき図面を参照して説明する。
図１は、実施例の環境センサ付き携帯電話機の構成を示すブロック図である。
携帯電話機１０は、全体を制御する全体制御部１１、環境データの検出時期設定部１２１と送信先（例えば環境監視センタ）へ各種情報を送信する送信時期設定部１２２と送信先の電話番号及び／又はメールアドレスを設定する送信先設定部１２３と検出データ及び／又は検出した環境データを解析した解析データ（解析データ）の異常値を設定する異常値設定部１２４とを備える入力部１２、各種情報を表示する表示部１３１を備える出力部１３、各種の情報を記憶する記憶部１４、外部との通信を行う通信制御部１５、携帯電話機全体へ必要な電力を供給する電源供給部１６を備える。
【００１０】
携帯電話機１０はさらに、環境データ（例えば、オゾン（紫外線量）、光化学スモッグ、温度、湿度、気圧、ＣＯ２、ＣＯ、ＮＯＸ、花粉量等）を検出する環境データ検出部１７、検出した環境データ及び／又は解析データ及び／又は解析データを編集したものを蓄積する環境データ蓄積部１８、検出した環境データを解析する環境データ解析部１９、検出した環境データ及び／又は解析データの異常値を検知する環境データ異常値検知部２０、検出した環境データ及び／又は解析データを編集／出力する環境データ編集及び／又は出力部２１、検出した環境データ及び／又は解析データの異常を警報・警告する環境データ異常警報部２２、基地局の位置情報を取得する基地局位置情報取得部２３１とＧＰＳ情報を取得するＧＰＳ情報取得部２３２とを備える現在位置情報取得部２３、現在位置の地図情報を取得する地図情報取得部２４、現在位置の地図情報に各種の情報をプロットする環境データプロット部２５、送信先へ各種の情報を送信するための環境データ送信制御部２６、内蔵タイマー２７１と外部タイマー取得部２７２とを備える現在時刻取得部２７等を有する。
【００１１】
この携帯電話機により環境データを測定（検出）する場合は、先ず各設定部１２１〜１２４により、検出データの検出時期、送信先への送信時期、送信先、異常値のうち必要とする設定をした携帯電話機を、環境データを測定しようとする現場に持参して、任意又は設定した時期に環境データを検出し、合わせて現在位置情報、現在位置の地図情報、現在時刻等を取得する。
そして検出した環境データを解析し、編集し、異常値の有無を検知して、必要に応じた情報を記憶・蓄積し、表示部に表示し、異常値が検知されれば警報・警告し、表示し、また任意又は設定した時期に前記情報を送信先（例えば、環境情報監視センタ）へ送信する。
【００１２】
図２は、携帯電話機に初期設定をする場合のフロー図の一例を示す。
ステップＳ２０でスタートし、ステップＳ２１で環境データを検出する時期を設定する。検出時期として、携帯電話機の使用中（通話中）又は所定時刻又は所定時間間隔を設定することができる。ステップＳ２２で検出データを送信先へ送信する時期を設定する。送信時期として、検出時期と同様に、携帯電話機の使用中（通話中）又は所定時刻又は所定時間間隔を設定することができる。
ステップＳ２３で送信先の電話番号又はメールアドレスを設定し、ステップＳ２４で検出データ及び／又は解析データの異常値を設定し、ステップＳ２５で初期設定を終了する。
【００１３】
図３は、環境データを測定（検出）する場合の処理のフロー図の一例を示す。
ステップＳ３０でスタートし、ステップＳ３１で所望の環境データを検出する契機（時期）かチェックし、その時期であれば所望の環境データを検出し、蓄積する。その時期でなければステップＳ４０へ進む。
ステップＳ３３で現在時刻を取得し、環境データに付加して蓄積する。ステップＳ３４で現在位置情報を取得し、環境データに付加して蓄積する。
ステップＳ３５で検出したデータをもとに解析し、ステップＳ３６で解析データが設定した異常値以上かチェックし、異常値以上であればステップＳ３７でそれを携帯電話機に警報・警告し、表示する。異常値でなければステップＳ３８へ進む。
【００１４】
ステップＳ３８で送信先（環境情報監視センタ）へ送信する時期かチェックし、
送信する契機（時期）であればステップＳ３９で送信先へ送信してステップＳ３１へ戻り、送信時期でなければステップＳ４０へ進む。
ステップＳ４０で他の実行する機能（例えば、他の環境データの測定）があるかチェックし、あればステップＳ４１で他の機能を実行し、なければステップＳ４３へ進む。ステップＳ４２で終了かチェックし、終了であればステップＳ４３で待機し、ステップＳ３１へ戻る。ステップＳ４２で終了でなければステップＳ４０へ戻り、他の機能を実行する。
【００１５】
なお、検出した環境データ及び／又は解析データ及び／又は前記解析データを編集したものを、表示及び／又は記憶・蓄積する場合、及びこれらを送信先へ送信する場合に、これらに、環境データの検出時に取得した現在位置情報、又は現在位置情報及び現在時刻、又は現在位置情報及び現在位置の地図情報、又は現在位置情報及び現在位置の地図情報及び現在時刻を付加することができる。
また、環境データの検出時期及び／又は送信先への情報の送信時期として、設定された時期のみでなく、任意な時点を選ぶこともできる。また解析データの異常値のみでなく、検出した環境データが設定した異常値以上の場合にも警報・警告し、表示することができる。
【００１６】
【発明の効果】
以上のように本発明の環境センサ付き携帯電話機を使用することにより、必要な場所で所望の環境データを検出することができ、現在位置情報、現在位置の地図情報、現在時刻を取得することができ、検出した環境データを解析し、編集して、検出した環境データと共に表示部に表示することができ、また送信先へ送信することができ、さらに検出した環境データ及び／又は解析データの異常値を検知し、警報・警告及び／又は表示することができるので、環境監視機器として有用である。
【図面の簡単な説明】
【図１】実施例の環境センサ付き携帯電話機の構成を示すブロック図。
【図２】携帯電話機に初期設定するフロー図の一例。
【図３】環境データを測定（検出）する場合の処理のフロー図の一例。
【符号の説明】
１０　環境センサ付き携帯電話機
１７　環境データ検出部
２３　現在位置検出部
２４　現在位置の地図情報取得部
２６　環境データ送信制御部
２７　現在時刻取得部
【図１】
2004040281.tif 000003
【図２】
2004040281.tif 000004
【図３】
2004040281.tif 000005